(57)【要約】【課題】ユーザが周波数ゲイン特性の動的調整動作の内容をリアルタイムに認知できる「オーディオ出力装置」を提供する。【解決手段】制御部８は、ノイズ算定部６が算定したノイズ成分の周波数スペクトル等に応じて、オーディオソース機器１が出力する音信号に対するユーザの聴感特性を、ノイズの如何によらずに目標聴感周波数特性に保つための、ゲイン調整部２の周波数ゲイン特性を算出し、ゲイン調整部２に設定する。また、制御部８は、ノイズ成分の全体のレベルを示すレベルメータ２０１と、出力音レベル算定部７が算定したスピーカ４から出力する音信号のレベルの周波数スペクトル２０２を、聴感補償処理によって、どの程度各周波数帯域のレベルが変化させているかをレベルバー２０２１の領域２０２１１で示した形態で表示装置９に表示する（ａ１）。【選択図】図２
2007251610.tif 000002
【特許請求の範囲】
【請求項１】
音信号をユーザに対して出力するオーディオ出力装置であって、
前記出力する音信号の周波数ゲイン特性を、当該音信号に対するユーザの聴感のレベルが周辺ノイズによらずに一定のレベルに維持されるように動的に調整する周波数ゲイン特性調整手段と、
表示装置と、
前記周波数ゲイン特性調整手段が現在行っている前記周波数ゲイン特性の調整の内容を前記表示装置に表示する調整状況表示手段とを有することを特徴とするオーディオ出力装置。
【請求項２】
請求項１記載のオーディオ出力装置であって、
前記調整状況表示手段は、前記周波数ゲイン特性調整手段が現在行っている前記周波数ゲイン特性の調整の内容を、前記周辺ノイズが存在しなかった場合に前記周波数ゲイン特性調整手段が行うことになる前記周波数ゲイン特性の調整の内容と対比させて表示することを特徴とするオーディオ出力装置。
【請求項３】
音信号をユーザに対して出力するオーディオ出力装置であって、
設定された周波数ゲイン特性に従った周波数特性で前記出力する音信号を調整する出力音信号調整手段と、
前記周波数ゲイン特性を前記出力音信号調整手段に設定すると共に、前記音信号に対するユーザの聴感のレベルが周辺ノイズによらずに一定のレベルに維持されるように、前記出力音信号調整手段に設定する周波数ゲイン特性を動的に変化させる周波数ゲイン特性制御手段と、
表示装置と、
前記出力している音信号の周波数スペクトルと、前記周辺ノイズが存在しなかった場合に前記周波数ゲイン特性制御手段が設定することになる前記周波数ゲイン特性に従った周波数特性で前記出力音信号調整手段において前記音信号を調整した場合に出力されることになる音信号の周波数スペクトルとを前記表示装置に表示する調整状況表示手段とを有することを特徴とするオーディオ出力装置。
【請求項４】
音信号をユーザに対して出力するオーディオ出力装置であって、
設定された周波数ゲイン特性に従った周波数特性で前記出力する音信号を調整する出力音信号調整手段と、
前記周波数ゲイン特性を前記出力音信号調整手段に設定すると共に、前記音信号に対するユーザの聴感のレベルが周辺ノイズによらずに一定のレベルに維持されるように、前記出力音信号調整手段に設定する周波数ゲイン特性を動的に変化させる周波数ゲイン特性制御手段と、
表示装置と、
前記出力音信号調整手段で周波数特性を調整前の音信号に対するユーザの現在の聴感の周波数特性と、前記周辺ノイズが存在しなかったときに前記周波数ゲイン特性制御手段が設定することになる前記周波数ゲイン特性に従った周波数特性で前記出力音信号調整手段において前記音信号を調整して音信号を出力した場合における、前記出力音信号調整手段で周波数特性を調整前の音信号に対するユーザの聴感の周波数特性とを前記表示装置に表示する調整状況表示手段とを有することを特徴とするオーディオ出力装置。
【請求項５】
音信号をユーザに対して出力するオーディオ出力装置であって、
設定された周波数ゲイン特性に従った周波数特性で前記出力する音信号を調整する出力音信号調整手段と、
前記周波数ゲイン特性を前記出力音信号調整手段に設定すると共に、前記音信号に対するユーザの聴感のレベルが周辺ノイズによらずに一定のレベルに維持されるように、前記出力音信号調整手段に設定する周波数ゲイン特性を動的に変化させる周波数ゲイン特性制御手段と、
表示装置と、
前記出力している音信号のユーザの聴感上の周波数スペクトルと、前記周辺ノイズが存在しなかったときに前記周波数ゲイン特性制御手段が設定することになる前記周波数ゲイン特性に従った周波数特性で前記出力音信号調整手段において前記音信号を調整して音信号を出力した場合における、当該音信号のユーザの聴感上の周波数スペクトルとを前記表示装置に表示する調整状況表示手段とを有することを特徴とするオーディオ出力装置。
【請求項６】
音信号をユーザに対して出力するオーディオ出力装置であって、
設定された周波数ゲイン特性に従った周波数特性で前記出力する音信号を調整する出力音信号調整手段と、
前記周波数ゲイン特性を前記出力音信号調整手段に設定すると共に、前記音信号に対するユーザの聴感のレベルが周辺ノイズによらずに一定のレベルに維持されるように、前記出力音信号調整手段に設定する周波数ゲイン特性を動的に変化させる周波数ゲイン特性制御手段と、
表示装置と、
前記周波数ゲイン特性制御手段が前記出力音信号調整手段に現在設定している現在の前記周波数ゲイン特性と、前記周辺ノイズが存在しなかった場合に前記周波数ゲイン特性制御手段が前記出力音信号調整手段に設定することになる前記周波数ゲイン特性とを表示する調整状況表示手段とを有することを特徴とするオーディオ出力装置。
【請求項７】
音信号をユーザに対して出力するオーディオ出力装置であって、
設定された周波数ゲイン特性に従った周波数特性で前記出力する音信号を調整する出力音信号調整手段と、
前記周波数ゲイン特性を前記出力音信号調整手段に設定すると共に、前記音信号に対するユーザの聴感のレベルが周辺ノイズによらずに一定のレベルに維持されるように、前記出力音信号調整手段に設定する周波数ゲイン特性を動的に変化させる周波数ゲイン特性制御手段と、
表示装置と、
前記出力している音信号の波形と、前記周辺ノイズが存在しなかったときに前記周波数ゲイン特性制御手段が設定することになる前記周波数ゲイン特性に従った周波数特性で前記出力音信号調整手段において前記音信号を調整して音信号を出力した場合における、当該音信号の波形とを前記表示装置に表示する調整状況表示手段とを有することを特徴とするオーディオ出力装置。
【請求項８】
請求項１、２、３、４、５、６または７記載のオーディオ出力装置であって、
前記調整状況表示手段は、前記周辺ノイズの発生状況を前記表示装置に表示することを特徴とするオーディオ出力装置。
【発明の詳細な説明】
【技術分野】
【０００１】
本発明は、周辺ノイズの変化に応じて、出力する音声の周波数ゲイン特性を、ユーザの音声に対する聴感が良好に維持されるように動的に変化させるオーディオ出力装置に関するものである。
【背景技術】
【０００２】
周辺ノイズの変化に応じて、出力する音声の周波数ゲイン特性を、ユーザの音声に対する聴感が良好に維持されるように動的に変化させるオーディオ出力装置としては、周辺騒音に応じて、出力する音声の周波数ゲイン特性を変化させる装置が知られている（たとえば、特許文献１）。
【０００３】
また、このような、周辺騒音に応じて、出力する音声の周波数ゲイン特性を変化させる装置において、周辺騒音のレベルや周波数スペクトルを表示する技術も知られている（たとえば、特許文献２）。
【特許文献１】特開2004-23481号公報
【特許文献２】特開平10-13170号公報
【発明の開示】
【発明が解決しようとする課題】
【０００４】
前述した各技術によれば、オーディオ出力装置は、オーディオ出力装置が出力する音声に対するユーザの聴感が、周辺ノイズの変化に伴って変化しないように、出力する音声の周波数ゲイン特性を動的に調整する。したがって、オーディオ出力装置が出力する音声のみに基づいて、オーディオ出力装置において有効に周辺ノイズの変化に応じた周波数ゲイン特性の調整が行われているのかどうかを、ユーザは直接認知することができない。
【０００５】
一方で、オーディオ出力装置において、周辺騒音のレベルや周波数スペクトルを表示する技術によれば、ユーザは、オーディオ出力装置において周辺ノイズの変化に応じた周波数ゲイン特性の調整が行われていることを一応推認することはできるが、周辺騒音のレベルや周波数特性の測定及び表示と、これに応じて周波数ゲイン特性の調整を行うことは、等価ではないため、ユーザは必ずしも充分な信頼感をもって、このような表示より、オーディオ出力装置において周辺ノイズの変化に応じた周波数ゲイン特性の調整が行われていることを認めることはできない。また、このような、周辺騒音のレベルや周波数特性の表示からでは、ユーザは、オーディオ出力装置において周辺ノイズの変化に応じた周波数ゲイン特性の調整がどのように行われているのかを知ることができない。
【０００６】
そこで、本発明は、周辺ノイズの変化に応じて、出力する音声の周波数ゲイン特性を動的に調整するオーディオ出力装置において、ユーザがオーディオ出力装置の周波数ゲイン特性の調整動作の内容をリアルタイムに認知できるようにすることを課題とする。
【課題を解決するための手段】
【０００７】
前記課題達成のために、本発明は、音信号をユーザに対して出力するオーディオ出力装置を、前記出力する音信号の周波数ゲイン特性を、当該音信号に対するユーザの聴感のレベルが周辺ノイズによらずに一定のレベルに維持されるように動的に調整する周波数ゲイン特性調整手段と、表示装置と、前記周波数ゲイン特性調整手段が現在行っている前記周波数ゲイン特性の調整の内容を前記表示装置に表示する調整状況表示手段とを含めて構成したものである。
【０００８】
このようなオーディオ出力装置によれば、前記周波数ゲイン特性調整手段が現在行っている前記周波数ゲイン特性の調整の内容を表示装置に表示するので、ユーザは、当該表示から、周波数ゲイン特性の調整動作の内容をリアルタイムに認知できるようになる。
ここで、このようなオーディオ出力装置は、前記調整状況表示手段において、前記周波数ゲイン特性調整手段が現在行っている前記周波数ゲイン特性の調整の内容を、前記周辺ノイズが存在しなかった場合に前記周波数ゲイン特性調整手段が行うことになる前記周波数ゲイン特性の調整の内容と対比させて表示するようにすることも好ましい。
【０００９】
このようにすることにより、ユーザが、周波数ゲイン特性の調整動作が、どの程度行われているかもリアルタイムに認知できるようになる。
また、このようなオーディオ出力装置においては、前記調整状況表示手段は、前記周辺ノイズの発生状況を前記表示装置に表示することも好ましい。
このようにすることにより、ノイズとの関係において、周波数ゲイン特性調整手段が現在行っている前記周波数ゲイン特性の調整の内容を、ユーザが把握できるようになる。
また、前記課題達成のために、本発明は、音信号をユーザに対して出力するオーディオ出力装置を、設定された周波数ゲイン特性に従った周波数特性で前記出力する音信号を調整する出力音信号調整手段と、前記周波数ゲイン特性を前記出力音信号調整手段に設定すると共に、前記音信号に対するユーザの聴感のレベルが周辺ノイズによらずに一定のレベルに維持されるように、前記出力音信号調整手段に設定する周波数ゲイン特性を動的に変化させる周波数ゲイン特性制御手段と、表示装置と、調整状況表示手段とを含めて構成したものである。
【００１０】
ここで、この調整状況表示手段は、前記出力している音信号の周波数スペクトルと、前記周辺ノイズが存在しなかった場合に前記周波数ゲイン特性制御手段が設定することになる前記周波数ゲイン特性に従った周波数特性で前記出力音信号調整手段において前記音信号を調整した場合に出力されることになる音信号の周波数スペクトルとを前記表示装置に表示するものである。ただし、この調整状況表示手段は、前記出力音信号調整手段で周波数特性を調整前の音信号に対するユーザの現在の聴感の周波数特性と、前記周辺ノイズが存在しなかったときに前記周波数ゲイン特性制御手段が設定することになる前記周波数ゲイン特性に従った周波数特性で前記出力音信号調整手段において前記音信号を調整して音信号を出力した場合における、前記出力音信号調整手段で周波数特性を調整前の音信号に対するユーザの聴感の周波数特性とを前記表示装置に表示するものとしてもよい。または、この調整状況表示手段は、前記出力している音信号のユーザの聴感上の周波数スペクトルと、前記周辺ノイズが存在しなかったときに前記周波数ゲイン特性制御手段が設定することになる前記周波数ゲイン特性に従った周波数特性で前記出力音信号調整手段において前記音信号を調整して音信号を出力した場合における、当該音信号のユーザの聴感上の周波数スペクトルとを前記表示装置に表示するものとしてもよい。または、この調整状況表示手段は、前記周波数ゲイン特性制御手段が前記出力音信号調整手段に現在設定している現在の前記周波数ゲイン特性と、前記周辺ノイズが存在しなかった場合に前記周波数ゲイン特性制御手段が前記出力音信号調整手段に設定することになる前記周波数ゲイン特性とを表示するものとしてもよい。また、この調整状況表示手段は、前記出力している音信号の波形と、前記周辺ノイズが存在しなかったときに前記周波数ゲイン特性制御手段が設定することになる前記周波数ゲイン特性に従った周波数特性で前記出力音信号調整手段において前記音信号を調整して音信号を出力した場合における、当該音信号の波形とを前記表示装置に表示するものとしてもよい。
【００１１】
これらのオーディオ出力装置によれば、前記周波数ゲイン特性制御手段が現在行っている周波数ゲイン特性の調整の内容やその結果が反映される状態の現在の状況を表示装置に表示するので、ユーザは、当該表示から、周波数ゲイン特性の調整動作の内容をリアルタイムに認知できるようになる。また、これらの状態の現在の状況の情報は、もし、周辺ノイズが存在しないとした場合に、そうなるであろうこれらの状態の状況の情報と共に表示されるので、当該周波数ゲイン特性の調整が、どの程度行われているかも、ユーザは、リアルタイムに認知できるようになる。
【００１２】
なお、これらの場合も、前記調整状況表示手段において、前記周辺ノイズの発生状況を前記表示装置に表示することが、ノイズとの関係において、前記周波数ゲイン特性制御手段が現在行っている周波数ゲイン特性の調整の内容を、ユーザが把握できるようにする上で好ましい。
【発明の効果】
【００１３】
以上のように、本発明によれば、周辺ノイズの変化に応じて、出力する音声の周波数ゲイン特性を動的に調整するオーディオ出力装置において、ユーザがオーディオ出力装置の周波数ゲイン特性の調整動作の内容をリアルタイムに認知できるようにすることができる。
【発明を実施するための最良の形態】
【００１４】
以下、本発明に係るオーディオ出力装置の実施形態について、自動車に搭載されるオーディオ出力装置への適用を例にとり説明する。
図１に、オーディオ出力装置の構成を示す。
図示するように車載装置は、ラジオ受信機やCDプレイヤなどであるオーディオソース機器１、イコライザ機能を備えたゲイン調整部２、出力アンプ３、スピーカ４、マイクロフォン５、ノイズ算定部６、出力音レベル算定部７、制御部８、表示装置９、操作部１０とを有する。
【００１５】
このような構成において、オーディオソース機器１から出力された音信号は、ゲイン調整部２において、当該ゲイン調整部２に設定されている周波数ゲイン特性に従った周波数特性によるゲイン調整や、音信号全体に対するゲイン調整が施された後、出力アンプ３に入力する。そして、出力アンプ３は、入力する音信号を増幅し、スピーカ４から出力する。ここで、音信号のゲイン調整部２の周波数ゲイン特性は制御部８が制御する。
【００１６】
そして、スピーカ４から出力された音信号Ａと、車の走行ノイズなどの周囲のノイズＮは、マイクロフォン５によってピックアップされ、ノイズ算定部６に送られる。
ノイズ算定部６は、ゲイン調整部２から出力される音声とマイクロフォン５の出力信号とに基づいて、ゲイン調整部２の出力からマイクロフォン５の出力までの伝達系の伝達関数を適応フィルタなどを用いて推定し、推定した伝達関数をゲイン調整部２から出力される音信号に施して、マイクロフォン５の出力信号に含まれる音信号Ａ成分を推定する。そして、推定した音信号Ａ成分を、マイクロフォン５の出力信号から差し引いて、マイクロフォン５の出力信号中のノイズＮ成分を抽出し、抽出したノイズＮ成分の全体のレベルと、当該ノイズＮ成分の周波数帯域毎のレベル、すなわち、周波数スペクトルを算出する。
【００１７】
そして、出力音レベル算定部７は、ゲイン調整部２から出力される音信号の全体のレベルと、当該ゲイン調整部２から出力される音信号の周波数帯域毎のレベル、すなわち、周波数スペクトルを算出する。
そして、制御部８は、以下の聴感補償処理を行う。
すなわち、制御部８は、この聴感補償処理において、ノイズ算定部６が算定したノイズ成分の周波数スペクトルに応じて、または、ノイズ算定部６が算定したノイズ成分の周波数スペクトルと出力音レベル算定部７が算定した音信号の周波数スペクトルとに応じて、オーディオソース機器１が出力する音信号に対するユーザの聴感の周波数特性である聴感周波数特性を、ノイズＮの如何によらずに目標聴感周波数特性に保つための、ゲイン調整部２の周波数ゲイン特性を算出し、ゲイン調整部２に設定する。ここで、ゲイン調整部２において、操作部１０を介してユーザから設定された周波数ゲイン特性に従った周波数特性で、出力する音信号の周波数帯域毎のゲインを調整して音信号をスピーカ４から出力した場合において、ノイズＮが存在しないときの、ユーザの聴感周波数特性が、目標聴感周波数特性となる。なお、この聴感周波数特性は、オーディオソース機器１から一定のレベルの音信号を出力したときに、当該音信号をゲイン調整部２で調整して出力アンプ３を介してスピーカ４から出力した音に対してユーザが感じる音の大きさを周波数帯域毎に示すものとなる。
【００１８】
また、このような構成において、制御部８は、表示装置９に、以上の聴感補償処理の処理状況を表示する聴感補償状況表示処理も行う。
図２ａ１、ａ２に、この聴感補償状況表示処理で表示装置９に表示する聴感補償状況表示画面の例を示す。
図示するように、この聴感補償状況表示画面では、ノイズ算定部６が算定したノイズＮ成分の全体のレベルを示すレベルメータ２０１と、出力音レベル算定部７が算定したスピーカ４から出力する音信号の周波数スペクトル２０２を表示する。また、この周波数スペクトル２０２の表示は、前述した聴感補償処理によって、どの程度各周波数帯域のレベルが変化しているかを、ユーザが識別可能な形態で行う。
【００１９】
すなわち、図２ａ１はノイズＮが存在しない場合の聴感補償状況表示画面を示しており、スピーカ４から出力する音信号の周波数スペクトル２０２は、それぞれが異なる周波数帯域のレベルを表す７本のレベルバー２０２１によって示されている。
そして、図２ａ２は、ノイズＮが存在する場合の聴感補償状況表示画面を示しており、この場合には、各レベルバー２０２１の、当該レベルバー２０２１に対応する周波数帯域のレベルのうちの聴感補償処理によって増加された部分に対応する領域２０２１１が、当該レベルバー２０２１の他の領域と異なる表示色で表示される。すなわち、ある周波数帯域のレベルバー２０２１の全体が表すレベルと、当該レベルバー２０２１の聴感補償処理によって増加された部分を表す領域２０２１１を除く部分の領域が表すレベルとの比が、現在、聴感補償処理においてゲイン調整部２に設定している当該周波数帯域のゲインと、ノイズが存在しない場合にゲイン調整部２に設定されることになる周波数ゲイン特性が示す当該周波数帯域のゲインに対する比と等しくなるように領域２０２１１は設定する。言い換えるならば、各レベルバー２０２１を領域２０２１１を除いたものとした場合に得られる周波数スペクトル２０２が、聴感補償処理においてノイズＮに応じたゲイン調整部２の周波数ゲイン特性の制御を行わず、ゲイン調整部２の周波数ゲイン特性をノイズＮが存在しない場合に目標聴感周波数特性が得られる周波数ゲイン特性に固定とした場合に、スピーカ４から出力されることになる音信号の周波数スペクトルを表すものとなるように、各レベルバー２０２１の領域２０２１１は設定する。
【００２０】
なお、以上のような、聴感補償状況表示画面は、図２ｂ１、ｂ２に示すように構成してもよい。
すなわち、図示するように、この聴感補償状況表示画面では、ノイズ算定部６が算定したノイズＮ成分の全体のレベルを示すレベルメータ２０１と、ユーザの現在の聴感周波数特性２０３を表示する。また、聴感補償処理においてノイズＮに応じたゲイン調整部２の周波数ゲイン特性の制御を行わず、ゲイン調整部２の周波数ゲイン特性をノイズＮが存在しない場合に目標聴感周波数特性が得られる周波数ゲイン特性に固定とした場合に得られることになる、ユーザの聴感周波数特性２０４を表示する。
【００２１】
すなわち、図２ｂ１はノイズＮが存在しない場合の聴感補償状況表示画面を示しており、この場合には、聴感周波数特性２０３と聴感周波数特性２０４は、等しく目標聴感周波数特性を示す。
一方、図２ｂ２は、ノイズＮが存在する場合の聴感補償状況表示画面を示しており、この場合には、ユーザの現在の聴感周波数特性２０３は、前述した聴感補償処理によって、ほぼ目標聴感周波数特性に維持されるが、周波数ゲイン特性を固定とした場合に得られることになるユーザの聴感周波数特性２０４は、ノイズＮの存在のために目標聴感周波数特性からかけ離れたものとなる。
【００２２】
なお、聴感周波数特性は、ノイズ算定部６の算定するノイズＮの周波数スペクトル、または、ノイズ算定部６が算定したノイズ成分の周波数スペクトルと出力音レベル算定部７が算定した出力する音信号の周波数スペクトルとの組み合わせに対して一義的に定まるように予め制御部８に設定しておく。
【００２３】
また、聴感補償状況表示画面は、図２ｃ１、ｃ２に示すように構成してもよい。
すなわち、図示するように、この聴感補償状況表示画面では、ノイズ算定部６が算定したノイズＮ成分の周波数スペクトル２０５と、スピーカ４から出力している音信号に対するユーザの現在の聴感上の周波数スペクトル２０６を表示する。ここで、聴感上の周波数スペクトル２０６は、出力音レベル算定部７が算定した周波数スペクトルに、ユーザの現在の聴感周波数特性を乗じて求まる。すなわち、聴感上の周波数スペクトル２０６は、ユーザが実際に感じる周波数帯域毎の音のレベルを示す。
【００２４】
また、この聴感レベル周波数スペクトル２０６の表示は、聴感補償処理においてノイズＮに応じたゲイン調整部２の周波数ゲイン特性の制御を行わず、ゲイン調整部２の周波数ゲイン特性をノイズＮが存在しない場合に目標聴感周波数特性が得られる周波数ゲイン特性に固定としたならば、ユーザがスピーカ４から出力される音信号に対して感じることになる、ユーザの現在の聴感上の周波数スペクトルを識別可能に行う。
【００２５】
すなわち、図２ｃ１はノイズＮが存在しない場合の聴感補償状況表示画面を示しており、聴感レベル周波数スペクトル２０６は、それぞれが異なる周波数帯域のレベルを表す７本のレベルバー２０６１によって示されている。
そして、図２ｃ２は、ノイズＮが存在する場合の聴感補償状況表示画面を示しており、この場合には、各レベルバー２０６１の、当該レベルバー２０６１に対応する周波数帯域のレベルのうちの、周波数ゲイン特性を固定としたならば、ユーザがスピーカ４から出力される音信号に対して感じることになる音の大きさのレベルを表す領域２０６１１が、当該レベルバー２０６１の他の部分と異なる表示色で表示される。ここで、周波数ゲイン特性に固定としたならば、ユーザがスピーカ４から出力される音信号に対して感じることになる音の大きさのレベルは、出力音レベル算定部７が算定した音信号の周波数スペクトルに、聴感補償処理においてノイズＮに応じたゲイン調整部２の周波数ゲイン特性の制御を行わず、ゲイン調整部２の周波数ゲイン特性をノイズＮが存在しない場合に目標聴感周波数特性が得られる周波数ゲイン特性に固定とした場合に得られることになるユーザの聴感周波数特性を乗じて求まる。
【００２６】
また、以上のような聴感補償状況表示画面は、図２ｄに示すように、ノイズＮが存在しない場合に目標聴感周波数特性が得られるゲイン調整部２の周波数ゲイン特性と、聴感補償処理において現在ゲイン調整部２に設定している周波数ゲイン特性とを表示するようにしてもよい。図中において、各周波数帯域毎に設けたスライドバー２０７上のスライドスイッチ２０７１が、ノイズＮが存在しない場合に目標聴感周波数特性が得られるその周波数帯域のゲインを、スライドバー２０７上のスライドスイッチ２０７２が、聴感補償処理によってゲイン制御部に現在実際に設定されているその周波数帯域のゲインを表している。
【００２７】
また、以上の聴感補償状況表示画面は、図２ｄに示すように、聴感補償処理においてノイズＮに応じたゲイン調整部２の周波数ゲイン特性の制御を行わず、ゲイン調整部２の周波数ゲイン特性をノイズＮが存在しない場合には、目標聴感周波数特性が得られる周波数ゲイン特性に固定とした場合にゲイン調整部２が現在出力することになる音信号の波形２０８１と、実際に現在スピーカ４から出力している音信号の波形２０８２とを重畳表示するようなものとしてもよい。
【００２８】
以上、本発明の実施形態について説明した。
以上のように本実施形態によれば、聴感補償状況表示画面として、前述のように、聴感補償処理による処理の結果として得られる、出力音信号の周波数スペクトルやユーザの聴感周波数特性や聴感上の周波数スペクトルや周波数ゲイン特性や出力音信号の波形などの状態の現在の状況の情報を、ノイズＮが存在しなかった場合に、そうなるであろうこれら状態の状況の情報と共に、ユーザに提示するので、ユーザは、オーディオ出力装置において、周波数ゲイン特性の調整動作が、どの程度どのように行われているかをリアルタイムに認知できるようになる。また、併せてノイズの全体のレベルや周波数スペクトルを表示するので、周波数ゲイン特性の調整動作がどのように行われているかを、ノイズとの関係において、聴感補償状況表示画面より直接把握することができるようになる。
【００２９】
ところで、以上の実施形態で示したオーディオ出力装置は、車載ではない、任意のオーディオ出力装置にも同様に適用することができる。
また、以上の実施形態では、マイクロフォン５を設けてマイクロフォン５でピックアップしたノイズＮの成分に応じて、ノイズＮの全体のレベルや周波数スペクトルを算定するようにしたが、これは、車載のオーディオ出力装置に適用する場合には、次のようにして、ノイズＮの全体のレベルや周波数スペクトルを算定するようにしてもよい。すなわち、車速などの自動車の状況と車内ノイズとの関係を予め求めておく。そして、オーディオ出力装置において、各時点の車速などの自動車の状況を検知し、検知した自動車の状況に応じてノイズＮの全体のレベルや周波数スペクトルを、予め求めて置いた関係に従って推定して用いる。
【図面の簡単な説明】
【００３０】
【図１】本発明の実施形態に係るオーディオ出力装置の構成を示すブロック図である。
【図２】本発明の実施形態に係るオーディオ出力装置が表示する聴感補償状況表示画面の表示例を示すフローチャートである。
【符号の説明】
【００３１】
１…オーディオソース機器、２…ゲイン調整部、３…出力アンプ、４…スピーカ、５…マイクロフォン、６…ノイズ算定部、７…出力音レベル算定部、８…制御部、９…表示装置、１０…操作部、２０１…レベルメータ。
【図１】
2007251610.tif 000003
【図２】
2007251610.tif 000004